(57)【要約】【課題】収納空間を有効に利用可能であり、より多くの長靴を収納しても、これらの長靴が互いに圧迫しない長靴台を提供する。【解決手段】台座１１と、台座に回動可能に設けられている底ディスク１２と、底ディスクの台座から遠ざかった側に位置されており、底ディスクとの間に予定距離を有する少なくとも一つの長靴置き板１３と、長靴置き板と底ディスクの間に設けられており、長靴置き板及び底ディスクとから長靴置き空間が構成される複数の組付け具１４と、長靴置き板の一つの底部から長靴置き空間へ、予定距離に延びており、長靴置き板との間に掛け空間が構成される少なくとも一つの掛け具１５と、を含み、これにより、長靴置き空間の対向する両端から、長靴２、３を選択的に入れ可能である。【選択図】図１
2014213059.tif 000002
【特許請求の範囲】
【請求項１】
台座と、
前記台座に回動可能に設けられている底ディスクと、
前記底ディスクの前記台座から遠ざかった側に位置されており、前記底ディスクとの間に予定距離を有する少なくとも一つの長靴置き板と、
前記長靴置き板と前記底ディスクの間に設けられており、前記長靴置き板及び前記底ディスクとから長靴置き空間が構成される複数の組付け具と、
前記長靴置き板の一つの底部から前記長靴置き空間へ、予定距離に延びており、前記長靴置き板との間に掛け空間が構成される少なくとも一つの掛け具と、
を含み、
これにより、前記長靴置き空間の対向する両端から、長靴を選択的に入れ可能であり、前記長靴を前記長靴置き空間の一端から入れる場合に、前記長靴は、その底部を上に向くように、長靴ヘッドを前記掛け空間に挿入して、前記長靴を宙に浮き、又はその底部を下に向くように、前記長靴を前記長靴置き空間に入れることが可能であることを特徴とする長靴台。
【請求項２】
前記各掛け具は、それに対応する前記長靴置き板の底部に組付けられており、前記各掛け具は、互いに対向しており、前記長靴置き板の底部から下に延びる二つの掛け板と、前記二つの掛け板から横方向に延びる二つの追加掛け板と、を含み、前記各掛け具の前記二つの追加掛け板は、前記長靴置き板に向いている長靴置き面をそれぞれ有し、前記各長靴置き面は、前記長靴置き板の下から上へ斜めに延びる斜面段と、前記斜面段から水平に延びており、前記長靴置き板に近接している水平段と、を含み、前記各追加掛け板の前記水平段は、ほぼ前記長靴置き板の底部に平行していることを特徴とする、請求項１に記載の長靴台。
【請求項３】
前記各長靴置き面の一端は、前記水平段の逆方向に延びる水平延び段を有し、前記各水平延び段は、ほぼ前記長靴置き板の底部に平行していることを特徴とする、請求項２に記載の長靴台。
【請求項４】
更に、少なくとも一つの伸縮具を含み、前記各伸縮具は、それに対応する前記長靴置き板の底部に組み付けられており、前記各伸縮具を調整することにより、前記各伸縮具が前記長靴置き板に近接し、又は離れることが可能であることを特徴とする、請求項１に記載の長靴台。
【請求項５】
前記各組付け具は立設ロッドであり、前記各長靴置き板の両側に嵌め具がそれぞれ設けられており、前記二つの嵌め具は、前記二つの立設ロッドをそれぞれ嵌めており、多数の固定具により前記二つの立設ロッドに調整可能に定位されていることを特徴とする、請求項１に記載の長靴台。
【請求項６】
前記二つの立設ロッドの外側に面する二つの側面には、縦方向に沿って延びる溝がそれぞれ設けられており、前記各溝は、これらの前記固定具に対応していることを特徴とする、請求項５に記載の長靴台。
【発明の詳細な説明】
【技術分野】
【０００１】
本発明は、長靴台に関するものである。
【背景技術】
【０００２】
従来の固定式靴台は、少数の靴を収納可能であり、特に、ハイヒールのヘッドの上方にある空間を有効に利用できない。このため、ハイヒールのヘッドの上方にある空間を有効に利用可能な靴台が開発されて市販している。このような靴台は、例えば特許文献１によるものが提案された。これは、交錯に傾斜している仕切板を有する回転式靴台であり、ハイヒールを交錯に靴台の両側から靴台に入れ可能である。このように、空間を有効に利用可能であり、ハイヒールの取出しも便利となる。
【０００３】
しかし、長靴は、円筒部を有するため、上記の方式で収納できない。上記の靴台に長靴を無理に入れると、長靴の円筒部が屈折されて見栄えが悪くなり、そして湿気によりカビが生えやすい。一般の下駄箱に長靴を入れると、長靴の上方にある空間を有効に利用できない問題があった。
【０００４】
目下、流行のトレンドを重視する女性は、材質が異なる複数の長靴を有することが一般的であるが、各種類の長靴の外観を良く維持するために、各長靴を独立で直立に収納することが必要である。そうすると、収納空間はより大きくなるという問題があった。
【先行技術文献】
【特許文献】
【０００５】
【特許文献１】台湾特許第Ｍ４３３８２２号公報
【発明の概要】
【発明が解決しようとする課題】
【０００６】
本発明の主な目的は、収納空間を有効に利用可能であり、より多くの長靴を収納しても、これらの長靴が互いに圧迫しない長靴台を提供することにある。
【課題を解決するための手段】
【０００７】
本発明の長靴台によると、台座と、台座に回動可能に設けられている底ディスクと、底ディスクの台座から遠ざかった側に位置されており、底ディスクとの間に予定距離を有する少なくとも一つの長靴置き板と、長靴置き板と底ディスクの間に設けられており、長靴置き板及び底ディスクとから長靴置き空間が構成される複数の組付け具と、長靴置き板の一つの底部から長靴置き空間へ、予定距離に延びており、長靴置き板との間に掛け空間が構成される少なくとも一つの掛け具と、を含み、
これにより、長靴置き空間の対向する両端から、長靴を選択的に入れ可能であり、長靴を長靴置き空間の一端から入れる場合に、長靴は、その底部を上に向くように、長靴ヘッドを掛け空間に挿入して、長靴を宙に浮き、又はその底部を下に向くように、長靴を長靴置き空間に入れることが可能であることを特徴とする。
【０００８】
本発明の長靴台によると、各掛け具は、それに対応する長靴置き板の底部に組付けられており、各掛け具は、互いに対向しており、長靴置き板の底部から下に延びる二つの掛け板と、二つの掛け板から横方向に延びる二つの追加掛け板と、を含み、各掛け具の二つの追加掛け板は、長靴置き板に向いている長靴置き面をそれぞれ有し、各長靴置き面は、長靴置き板の下から上へ斜めに延びる斜面段と、斜面段から水平に延びており、長靴置き板に近接している水平段と、を含み、各追加掛け板の水平段は、ほぼ長靴置き板の底部に平行していることを特徴とする。
【０００９】
本発明の長靴台によると、各長靴置き面の一端は、水平段の逆方向に延びる水平延び段を有し、各水平延び段は、ほぼ長靴置き板の底部に平行していることを特徴とする。
【００１０】
本発明の長靴台によると、更に、少なくとも一つの伸縮具を含み、各伸縮具は、それに対応する長靴置き板の底部に組み付けられており、各伸縮具を調整することにより、各伸縮具が長靴置き板に近接し、又は離れることが可能であることを特徴とする。
【００１１】
本発明の長靴台によると、各組付け具は立設ロッドであり、各長靴置き板の両側に嵌め具がそれぞれ設けられており、二つの嵌め具は、二つの立設ロッドをそれぞれ嵌めており、多数の固定具により二つの立設ロッドに調整可能に定位されていることを特徴とする。
【００１２】
本発明の長靴台によると、二つの立設ロッドの外側に面する二つの側面には、縦方向に沿って延びる溝がそれぞれ設けられており、各溝は、これらの固定具に対応していることを特徴とする。
【発明の効果】
【００１３】
本発明の長靴台によれば、収納空間を有効に利用可能であり、より多くの長靴を収納しても、これらの長靴が互いに圧迫しないという効果を有する。
【図面の簡単な説明】
【００１４】
【図１】本発明の実施例１を示す斜視図である。
【図２】本発明の実施例１の操作の過程を示す斜視図である。
【図３】本発明の実施例１の一部を示す分解斜視図である。
【図４】本発明の実施例１の一部を示す分解斜視図である。
【図５】本発明の実施例１を示す側面断面図である。
【図６】本発明の実施例１を示す正面断面図である。
【図７】本発明の実施例１の使用状態を示す模式図である。
【図８】本発明の実施例１の別の実施の態様の使用状態を示す模式図である。
【図９】本発明の実施例１の別の使用方式を示す模式図である。
【図１０】本発明の実施例１の一部を示す拡大図である。
【図１１】本発明の実施例１の一部を示す拡大図である。
【図１２】本発明の実施例２を示す斜視図である。
【図１３】本発明の実施例３の一部を示す分解斜視図である。
【図１４】本発明の実施例３を示す斜視図である。
【図１５】本発明の実施例３の使用状態を示す模式図である。
【図１６】本発明の実施例３の別の使用状態を示す模式図である。
【発明を実施するための形態】
【００１５】
以下、本発明の実施の形態を図面に基づいて詳述する。
【００１６】
図１乃至図９を参照する。図１は本発明の実施例１を示す斜視図であり、図２は本発明の実施例１の操作の過程を示す斜視図であり、図３は本発明の実施例１の一部を示す分解斜視図であり、図４は本発明の実施例１の一部を示す分解斜視図であり、図５は本発明の実施例１を示す側面断面図であり、図６は本発明の実施例１を示す正面断面図であり、図７は本発明の実施例１の使用状態を示す模式図であり、図８は本発明の実施例１の別の実施の態様の使用状態を示す模式図であり、図９は本発明の実施例１の別の使用方式を示す模式図である。本実施例の長靴台１０は、台座１１と、底ディスク１２と、少なくとも一つの長靴置き板１３と、複数の組付け具１４と、少なくとも一つの掛け具１５と、定位具１９と、挟み具１８と、天板１６と、補強柱１７と、天蓋１７１と、を含む。
【実施例１】
【００１７】
底ディスク１２は台座１１に回転可能に設けられている。本実施例では、台座１１の中央に貫通孔１１１が設けられている。底ディスク１２の底部に環状凸縁１２２が設けられている。環状凸縁１２２は貫通孔１１１に回転可能に設けられている。環状凸縁１２２が係止構造を有し、前記係止構造により環状凸縁１２２が貫通孔１１１と係止可能である。このように、底ディスク１２と台座１１が互いに分離することを回避可能である。台座１１には、貫通孔１１１を囲む環状溝１１２が設けられている。底ディスク１２の底部には、自在に回転可能な玉１２１が複数設けられている。これらの玉１２１は、環状溝１１２に配されており、環状溝１１２を転がり可能である。このように、底ディスク１２は台座１１に対して相対的に回転可能である。
【００１８】
長靴置き板１３は、底ディスク１２の台座から遠ざかった側に位置されており、底ディスク１２との間に予定距離を有する。これらの組付け具１４は、長靴置き板１３のエッジと底ディスク１２のエッジの間に設けられている。長靴置き板１３の両端と底ディスク１２の両端の間には、互いに接続されている複数の組付け具１４がそれぞれ設けられていることが好ましい。長靴置き板１３、これらの組付け具１４及び底ディスクとから、長靴置き空間が構成される。本実施例では、複数の長靴置き板１３を含む。これらの長靴置き板１３は、距離を置いて設けられている。各長靴置き板１３は、複数の組付け具１４によって連接されている。何れかの隣接する二つの長靴置き板１３とそれに対応する組付け具１４とから、長靴置き空間が構成される。
【００１９】
掛け具１５は、長靴置き板１３の一つの底部から前記長靴置き空間へ、予定距離に延びており、長靴置き板１３との間に掛け空間が構成される。本実施例では、掛け具１３は、形状が互いに対応する少なくとも一対の掛け板１５１、１５２を含む。各掛け板１５１、１５２の掛け具１３から遠ざかった一端は、別の掛け板１５１、１５２へ屈折されており、これにより、掛け板１５１、１５２はＬ字形を呈する。長靴２、３の足首部２１、３１は、一対の掛け板１５１、１５２の間に挟まれ可能である。なお、長靴２、３の長靴ヘッド２２、３２は前記掛け空間に位置している。各掛け板１５１、１５２の長靴置き板１３に近接する一端は、ハト尾状を呈する凸部を有する。長靴置き板１３の底部には、ハト尾状を呈するスライド溝が設けられている。前記凸部は、前記スライド溝に脱着可能に定位されている。掛け具１５は、更に、形状が互いに対応する少なくとも一対の追加掛け板１５３、１５４を含むことが好ましい。各追加掛け板１５３、１５４の掛け具１３から遠ざかった一端は、別の追加掛け板１５３、１５４へ屈折されており、これにより、追加掛け板１５３、１５４はＬ字形を呈する。追加掛け板１５３、１５４は、掛け板１５１、１５２の長靴置き板１３から遠ざかった一端と連接している。詳細的には、各掛け板１５１、１５２の長靴置き板１３から遠ざかった一端にも、ハト尾状を呈するスライド溝が設けられており、各追加掛け板１５３、１５４の掛け板１５１、１５２に近接する一端には、ハト尾状を呈する凸部が設けられており、これにより、追加掛け板１５３、１５４の前記凸部は、掛け板１５１、１５２の前記スライド溝に入れられ可能である。このように、必要に応じて追加掛け板１５３、１５４の数量を増加可能であり、前記掛け空間を拡大可能である。より長いヒールをも収納可能となる。より長いヒールを収納する方法は、上記の方法の他に、図８に示すように、より長い掛け板１５１ａ、１５２ａを採用してもよい。しかし、包装を省略可能となるという観点から見れば、掛け板に追加掛け板を接続した方がよい。前記掛け板は、長靴置き板と一体成形されてもよい。このように、ハト尾状を呈する凸部を省略可能であり、更に、長靴置き板の底部に、掛け板と係合するための溝を設けてもよい。一方、一対の掛け板を左右にそれぞれ設けることにより（すわなち、四個の掛け板）、二つの長靴を同時に掛け可能である。三つの掛け板を直接に設けてもよい。このように、隣接する掛け板同士の間に長靴置き空間を構成可能であり、二つの長靴を同時に掛けることも可能となる。
【００２０】
定位具１９は、長靴置き板１３の底部から前記長靴置き空間に延びている。長靴２、３は、その底部を上方に向くように長靴ヘッド２２、３２を前記掛け空間に挿入するときには、定位具１９により、長靴ヘッド２２、３２が長靴置き板１３の底部に押付けられている。本実施例では、定位具１９は、複数の支持枠１９１ａ、１９１ｂ、１９１ｃと、少なくとも一つの押付ロッド１９２と、を含む。支持枠１９１ａ、１９１ｂ、１９１ｃは、距離を置いて互いに分離しており、長靴置き板１３に平行している。押付ロッド１９２は支持枠１９１ａ、１９１ｂ、１９１ｃのうちの一つに選択的に配することが可能である。このように、図１０に示すように、長靴ヘッド２２、３２が長靴置き板１３の底部に押付けられている。
【００２１】
挟み具１８は、長靴置き板１３の底部から前記長靴置き空間に延びるように設けられている。前記挟み具１８は、垂れロープ１８１と、垂れロープ１８１の長靴置き板１３から遠ざかった一端に設けられている挟み部１８２と、を含む。長靴２、３の底部が下方に向くように長靴２、３を前記長靴置き空間に置くときには、挟み部１８２が長靴２、３の長靴円筒２３、３３を同時に挟み可能である。垂れロープ１８１の長さは調整可能であることが好ましい。このように、異なる長靴円筒高さを有する長靴を挟み可能であり、図１０及び図１１に示すように、長靴円筒２３を直立するように収納可能である。
【００２２】
天板１６は、長靴置き板１３の底ディスク１２から遠ざかった側に位置しており、すなわち、長靴置き板１３が天板１６と底ディスク１２の間に位置している。天板１６は長靴置き板１３と連接している。天蓋１７１は、天板１６の長靴置き板１３から遠ざかった側に位置しており、天板１６に回動可能に連接されている。補強柱１７は、一端が台座１１と連接しており、他端が天蓋１７１と連接している。具体的には、補強柱１７が天蓋１７１のエッジと連接しており、補強柱１７の支持により、長靴台１０が複数の長靴置き板１３を有し、且つより高い高さを有しても、回動による重心の不安定が発生せず、更に、スムーズに回転可能である。
【００２３】
図５乃至図９を参照する。前記長靴置き空間の両端から、長靴２、３を選択的に入れ可能であり、長靴２、３を前記長靴置き空間の一端から入れる場合に、長靴２、３は、その底部を上に向くように、長靴ヘッド２２、３２を前記掛け空間に挿入して、長靴２、３を宙に浮き、又はその底部を下に向くように、長靴２、３を前記長靴置き空間に入れることが可能である。長靴２、３を前記掛け空間の一端から、その底部を上に向くように前記掛け空間に入れるときには、別の長靴２、３を前記掛け空間の他端から、その底部を下に向くように前記掛け空間に入れることが可能である。このように、長靴ヘッド２２、３２の上方にある空間を有効に利用可能である。定位具１９と挟み具１８により、長靴２、３を直立状態に保持可能であり、このように、長靴２、３の外観を良く保持可能である。
【００２４】
一方、定位具１９は、複数の支持枠１９１ａ、１９１ｂ、１９１ｃを有するため、押付ロッド１９２と長靴置き板１３の間にある距離を調整可能である。このように、異なる厚さを有する長靴ヘッド２２、３２であっても、全て定位可能である。このように、長靴ヘッドがより重いため、長靴円筒が外側に出ることを回避可能であり、これにより、長靴台の回動がスムーズとなる。図９に示すように、定位具１９の押付により、上方にある長靴が直立状態に保持され可能であり、なお、下方にある長靴が定位具１９に押付けられないため、長靴円筒３３ａが外側に出ている状態にある。また、挟み具１８の長さを調整可能であるため、挟み具１８は、異なる長靴円筒高さを有する長靴２、３に合せて、隣接する長靴円筒２３、３３を確実に挟み可能である。このように、長靴円筒２３、３３を常時に直立状態に保持可能であり、長靴円筒２３、３３の屈折による損壊を回避可能である。
【実施例２】
【００２５】
図１２を参照する。図１２は本発明の実施例２を示す斜視図である。本実施例の長靴台は、更に、防塵スリーブ４を有する。防塵スリーブ４は、長靴台をカバーし、縦方向に延びる少なくとも一つのジッパー４１と、横方向に延びる少なくとも一つのジッパー４２と、を有する。ジッパー４１は、二つのジッパーヘッド４１１を有し、互いに反対する方向にジッパーヘッド４１１を引くと、防塵スリーブ４を開け可能であることが好ましい。このように、上層又は下層に収納されている長靴を便利に取り出すことが可能である。
【実施例３】
【００２６】
図１３乃至図１６を参照する。図１３は本発明の実施例３の一部を示す分解斜視図であり、図１４は本発明の実施例３を示す斜視図であり、図１５は本発明の実施例３の使用状態を示す模式図であり、図１６は本発明の実施例３の別の使用状態を示す模式図である。本実施例の長靴台は、少なくとも一つの掛け具１５´を有する。各掛け具１５´は、それに対応する長靴置き板１３の底部に組み付けられている。図１及び図２に示す上記の実施例に比べて、本実施例の各掛け具１５´の掛け板１５１´、１５２´と掛け板１５１´、１５２´にそれぞれ対応する追加掛け板１５３´、１５４´が一体成形される。各掛け具１５´の追加掛け板１５３´、１５４´は、長靴置き板１３に向いている長靴置き面１５５´をそれぞれ有する。対向する追加掛け板１５３´、１５４´の間には、置き通路が形成されている。長靴の足首部は前記置き通路に入れ可能である。各長靴置き面１５５´は、長靴置き板１３の下から上へ斜めに延びる斜面段１５６´と、斜面段１５６´から水平に延びており、長靴置き板１３に近接している水平段１５７´と、を含む。各対向する追加掛け板１５３´、１５４´の水平段１５７´は、ほぼ長靴置き板１３の底部に平行しており、長靴置き板１３とから置き空間が構成される。各対向する追加掛け板１５３´、１５４´の構造は、長靴の長靴ヘッド２２の輪郭に合せ可能であり、且つ各対向する追加掛け板１５３´、１５４´の水平段１５７´と長靴置き板１３とから、より狭い置き空間が構成されるため、長靴ヘッド２２を確実に挟み可能である。長靴置き面１５５´の延び方向に垂直する方向において、水平段１５７´の幅は前記斜面段の幅よりも大きいため、ほぼハト尾状を呈する。このように、長靴ヘッド２２を安定で確実に支持することが可能である。各長靴置き面１５５´の一端には、水平段１５７´の逆方向に延びる水平延び段１５８´が設けられており、各水平延び段１５８´は、ほぼ長靴置き板１３の底部に水平しており、各長靴置き面１５５´の水平延び段１５８´と斜面段１５６´が屈折部を形成していること好ましい。前記屈折部により、長靴の踵に対応する部分が止められ、このように、前記長靴の掛け具１５´からの脱出を防止可能である。
【００２７】
本実施例の長靴台は、少なくとも一つの伸縮具５０を含む。各伸縮具５０は、それに対応する長靴置き板１３の底部に組み付けられており、組付け方法が例えば締結を採用してもよい。本実施例の長靴台は、図１及び図２に示す上記の実施例と異なり、各長靴置き板１３の両側は、二つの組付け具に調整可能に組み付けられていることが好ましい。前記二つの組付け具は、一体成形された立設ロッド５１であるが、本発明はこれに限定されない。具体的には、各長靴置き板１３の両側には、嵌め具１３１がそれぞれ設けられており、なお、嵌め具１３１が長靴置き板１３と一体成形されたことが好ましい。二つの嵌め具１３１は、二つの立設ロッド５１にそれぞれ嵌め設けられており、少なくとも一つの固定具５２により二つの立設ロッド５１にそれぞれ定位されている。固定具５２は螺子でもよい。立設ロッド５１の外側に向いている面に溝５１１が設けられている。各溝５１１は、これらの固定具５２に対応している。
【００２８】
より短い長靴を収納する場合には、図１５に示すように、伸縮具５０を短くして、長靴の底部を長靴置き板１３に置いて、伸縮具５０が前記長靴の内部に挿入するように、前記伸縮具５０を長くする。このように、前記長靴を快速に収納して定位可能である。より長い長靴を収納する場合には、図１６に示すように、これらの固定具５２を緩めて、前記長靴置き空間を拡大するように、各長靴置き板１３を二つの立設ロッド５１に対して調整して、伸縮具５０を伸縮することにより、前記長靴を快速に収納して定位可能である。このように、本発明の長靴台は異なる寸法の長靴を収納することが可能である。各長靴置き板１３を二つの立設ロッド５１に対して調整しているときには、これらの固定具５２の一部をそれに対応する溝５１１に挿入することにより、各長靴置き板１３の移動をガイド可能であり、各長靴置き板１３が揺れることなく移動可能であり、全体の構造がもっと強固となる。
【産業上の利用可能性】
【００２９】
本発明は、長靴台に適用することができる。
【符号の説明】
【００３０】
２：長靴
３、３ａ：長靴
４：防塵スリーブ
１０：長靴台
１１：台座
１２：底ディスク
１３：長靴置き板
１４：組付け具
１５：掛け具
１５´：掛け具
１６：天板
１７：補強柱
１８：挟み具
１９：定位具
２１：足首部
２２：長靴ヘッド
２３：長靴円筒
３１：足首部
３２、３２ａ：長靴ヘッド
３３、３３ａ：長靴円筒
４１：ジッパー
４２：ジッパー
５０：伸縮具
５１：立設ロッド
５２：固定具
１１１：貫通孔
１１２：環状溝
１２１：玉
１２２：環状凸縁
１３１：嵌め具
１５１、１５２：掛け板
１５１´、１５２´：掛け板
１５１ａ、１５２ａ：掛け板
１５３、１５４：追加掛け板
１５３´、１５４´：追加掛け板
１５５´：長靴置き面
１５６´：斜面段
１５７´：水平段
１５８´：水平延び段
１７１：天蓋
１８１：垂れロープ
１８２：挟み部
１９１ａ、１９１ｂ、１９１ｃ：支持枠
１９２：押付ロッド
４１１：ジッパーヘッド
５１１：溝
【図１】
2014213059.tif 000003
【図２】
2014213059.tif 000004
【図３】
2014213059.tif 000005
【図４】
2014213059.tif 000006
【図５】
2014213059.tif 000007
【図６】
2014213059.tif 000008
【図７】
2014213059.tif 000009
【図８】
2014213059.tif 000010
【図９】
2014213059.tif 000011
【図１０】
2014213059.tif 000012
【図１１】
2014213059.tif 000013
【図１２】
2014213059.tif 000014
【図１３】
2014213059.tif 000015
【図１４】
2014213059.tif 000016
【図１５】
2014213059.tif 000017
【図１６】
2014213059.tif 000018
【手続補正書】
【提出日】平成26年9月8日(2014.9.8)
【手続補正１】
【補正対象書類名】特許請求の範囲
【補正対象項目名】全文
【補正方法】変更
【補正の内容】
【特許請求の範囲】
【請求項１】
台座と、
前記台座に回動可能に設けられている底ディスクと、
前記底ディスクの前記台座から遠ざかった側に位置されており、前記底ディスクとの間に予定距離を有する少なくとも一つの長靴置き板と、
前記長靴置き板と前記底ディスクの間に設けられており、前記長靴置き板及び前記底ディスクとから長靴置き空間が構成される複数の組付け具と、
前記長靴置き板の一つの底部から前記長靴置き空間へ、予定距離に延びており、前記長靴置き板との間に掛け空間が構成される少なくとも一つの掛け具と、を含み、
前記各掛け具は、前記長靴置き板の底部に組付けられ、互いに対向して前記長靴置き板の底部から下に延びる二つの掛け板と、
前記二つの掛け板から横方向に延びる二つの追加掛け板と、を含み、
前記二つの追加掛け板は、前記長靴置き板に向いている長靴置き面をそれぞれ有し、
前記各長靴置き面は、前記長靴置き板の下から上へ斜めに延びる斜面段と、
前記斜面段から水平に延びており、前記長靴置き板に近接している水平段と、を含み、
前記各追加掛け板の前記水平段は、ほぼ前記長靴置き板の底部と平行であり、
前記長靴置き空間の対向する両端から、長靴を選択的に入れ可能であり、前記長靴を前記長靴置き空間の一端から入れる場合に、前記長靴は、その底部を上に向くように、長靴ヘッドを前記掛け空間に挿入して、前記長靴を垂下し、又は長靴の底部を下に向くように、前記長靴を前記長靴置き空間に入れることが可能であることを特徴とする長靴台。
【請求項２】
前記各長靴置き面の一端は、前記水平段の逆方向に延びる水平延び段を有し、前記各水平延び段は、ほぼ前記長靴置き板の底部に平行していることを特徴とする、請求項１に記載の長靴台。
【請求項３】
更に、少なくとも一つの伸縮具を含み、前記各伸縮具は、それに対応する前記長靴置き板の底部に組み付けられており、前記各伸縮具を調整することにより、前記各伸縮具が前記長靴置き板に近接し、又は離れることが可能であることを特徴とする、請求項１に記載の長靴台。
【請求項４】
前記各組付け具は立設ロッドであり、前記各長靴置き板の両側に嵌め具がそれぞれ設けられており、前記二つの嵌め具は、前記二つの立設ロッドをそれぞれ嵌めており、多数の固定具により前記二つの立設ロッドに調整可能に定位されていることを特徴とする、請求項１に記載の長靴台。
【請求項５】
前記二つの立設ロッドの外側に面する二つの側面には、縦方向に沿って延びる溝がそれぞれ設けられており、前記各溝は、これらの前記固定具に対応していることを特徴とする、請求項４に記載の長靴台。
【手続補正２】
【補正対象書類名】明細書
【補正対象項目名】０００７
【補正方法】変更
【補正の内容】
【０００７】
本発明の長靴台によると、台座と、台座に回動可能に設けられている底ディスクと、底ディスクの台座から遠ざかった側に位置されており、底ディスクとの間に予定距離を有する少なくとも一つの長靴置き板と、長靴置き板と底ディスクの間に設けられており、長靴置き板及び底ディスクとから長靴置き空間が構成される複数の組付け具と、長靴置き板の一つの底部から長靴置き空間へ、予定距離に延びており、長靴置き板との間に掛け空間が構成される少なくとも一つの掛け具と、を含み、これにより、長靴置き空間の対向する両端から、長靴を選択的に入れ可能であり、長靴を長靴置き空間の一端から入れる場合に、長靴は、その底部を上に向くように、長靴ヘッドを掛け空間に挿入して、長靴を垂下し、又は長靴の底部を下に向くように、長靴を長靴置き空間に入れることが可能であることを特徴とする。